(57)【要約】【課題】本発明は、段ボールを所定の形状に切断する際に、前記段ボールの切断面を美しくすることができる段ボール切断装置に関するものである。【解決手段】本発明の段ボール切断装置は、段ボールを載置する段ボール載置台と、前記段ボールを切断する回転帯状カッターと、前記回転帯状カッターを取り付ける支柱とから少なくとも構成されている。前記段ボール載置台は、前記段ボールを上部に載置して移動できるようになっている。前記回転帯状カッターは、前記段ボール載置台の移動により、段ボールを切断する。前記支柱は、前記段ボール載置台の進行方向と回転帯状カッターの刃先の角度を９０度より小さい所定の角度で回転ができるように前記回転帯状カッターを取り付けている。【選択図】図１
2008173731.tif 000002
【特許請求の範囲】
【請求項１】
段ボールを切断する段ボール切断装置において、
前記段ボールを上部に載置して移動できる段ボール載置台と、
前記段ボールを前記段ボール載置台の移動により、切断する回転帯状カッターと、
前記段ボール載置台の進行方向と回転帯状カッターの刃先の角度を９０度より小さい所定の角度で回転ができるように前記回転帯状カッターを取り付ける支柱と、
から少なくとも構成されていることを特徴とする段ボール切断装置。
【請求項２】
段ボールを所定の角度に切断して、断面形状の異なるストリップ片にする段ボール切断装置において、
前記段ボールを上部に載置して移動できる段ボール載置台と、
前記段ボールが前記段ボール載置台の移動により、ストリップ状に切断する回転帯状カッターと、
前記段ボール載置台の進行方向と回転帯状カッターの刃先の角度を９０度より小さい所定の角度で回転ができるように前記回転帯状カッターを取り付ける支柱と、
から少なくとも構成されていることを特徴とする段ボール切断装置。
【発明の詳細な説明】
【技術分野】
【０００１】
本発明は、段ボールを任意の形状に切断すると同時に、段ボールの切断面を綺麗に切断できる段ボール切断装置に関するものである。特に、本発明の段ボール切断装置は、段ボールの切断面の模様を美しく見せる段ボール組立体を作製する際のストリップ片を切断する段ボール切断装置に関するものである。
【背景技術】
【０００２】
図４（イ）から（ハ）は従来からある段ボールを説明するための図である。図４（イ）に示された両面段ボール４１は、表ライナ４１１と裏ライナ４１２の間に中芯４１３が設けられている。図４（ロ）に示された複両面段ボール４２は、ライナが３枚で、その間に中芯４２１、４２２設けられている。前記中芯４２１、４２２は、波の幅を変えたり、同じにしたものがある。図４（ハ）に示された複複両面段ボール４３は、ライナが４枚で、その間に中芯４３１、４３２、４３３がある。前記中芯４３１、４３２、４３３は、波の間隔が同じになっているが、幅を変えたり、周期を変えるものがある。
【０００３】
段ボールを使用した工芸品として、たとえば、特開２００３−２９１５９６号公報に記載された押し花等の飾りは、通気性、クッション性を有する段ボール等の材質で、少なくとも１個以上の透孔状の収納室を枠部材に設け、平面状の生の花、押し花、ドライフラワー等を収納している。
【特許文献１】特開２００３−２９１５９６号公報
【発明の開示】
【発明が解決しようとする課題】
【０００４】
段ボールを使用した段ボール組立体は、箱、あるいは、遊び道具、飾り等が工夫されたものが多くある。しかし、段ボールを有効利用した道具、遊具、飾り等の組立体は、段ボールの切断面が汚い場合、美しい段ボール組立体にならなかった。
【０００５】
以上のような課題を解決するために、本発明は、段ボールをいろいろな角度で切断しても、前記切断面の模様が綺麗な段ボール切断装置を提供することを目的とする。本発明は、段ボールを切断して異なる断面のストリップ片を用意しておき、これらを組み合わせて互いに接着させ、所望の形状に組み立てた段ボール組立体を作製するのに都合の良い段ボール切断装置に関するものである。
【課題を解決するための手段】
【０００６】
（第１発明）
第１発明の段ボール切断装置は、前記段ボールを上部に載置して移動できる段ボール載置台と、前記段ボールを前記段ボール載置台の移動により、切断する回転帯状カッターと、前記段ボール載置台の進行方向と回転帯状カッターの刃先の角度を９０度より小さい所定の角度で回転ができるように前記回転帯状カッターを取り付ける支柱とから少なくとも構成されていることを特徴とする。
【０００７】
（第２発明）
第２発明の段ボール切断装置は、段ボールを所定の角度に切断して、断面形状の異なるストリップ片にするものであり、前記段ボールを上部に載置して移動できる段ボール載置台と、前記段ボールが前記段ボール載置台の移動により、ストリップ状に切断する回転帯状カッターと、前記段ボール載置台の進行方向と回転帯状カッターの刃先の角度を９０度より小さい所定の角度で回転ができるように前記回転帯状カッターを取り付ける支柱とから少なくとも構成されていることを特徴とする。
【発明の効果】
【０００８】
本発明によれば、段ボールが帯状カッターに向かって吸引されるように、段ボール載置台の進行方向と回転帯状カッターの刃先の角度を直角より小さい角度にしたため、切断面が均一になり、所望の揃った連続模様のものを得ることができた。本発明は、プレス式のカッターを使用せずに、回転帯状カッターを使用したため、安価な段ボール切断装置となった。
【０００９】
本発明によれば、段ボールの切断面からなる模様を巧みに組み合わせて接着させることにより、身の回りの物を作製することができる。前記段ボールを切断する際の角度を変えることにより、切断面の連続模様を変えることができ、これらを組み合わせることにより組立体を美しくすることができる。
【発明を実施するための最良の形態】
【００１０】
（第１発明）
第１発明の段ボール切断装置は、段ボールを載置する段ボール載置台と、前記段ボールを切断する回転帯状カッターと、前記回転帯状カッターを取り付ける支柱とから少なくとも構成されている。前記段ボール載置台は、前記段ボールを上部に載置して移動できるようになっている。前記回転帯状カッターは、前記段ボール載置台の移動により、段ボールを切断する。前記支柱は、前記段ボール載置台の進行方向と回転帯状カッターの刃先の角度を９０度より小さい所定の角度で回転ができるように前記回転帯状カッターを取り付けている。
【００１１】
本発明の段ボール切断装置は、回転帯状カッターの刃先を段ボールの進行方向に対して、９０度より小さい角度、好ましくは、４０度から６５度にしたとき、安定して前記段ボールを吸い込む方向に力が働くため、断面の模様が一定となるように切断された。
【００１２】
（第２発明）
第２発明の段ボール切断装置は、段ボールを所定の角度に切断して、断面形状の異なるストリップ片を得るための装置である。段ボール載置台は、上部に段ボールを載置するとともに、刃に向かって移動できるようになっている。前記段ボールを切断する回転帯状カッターは、前記段ボールが前記段ボール載置台の移動により、ストリップ状に切断する。前記回転帯状カッターを支持する支柱は、前記回転帯状カッターを前記段ボールの進行方向に対して、刃先を９０度より小さい所定の角度で回転ができるようすることができる。前記回転帯状カッターは、段ボールをストリップ状に切断する場合、刃先が段ボールと所定の角度で傾斜しているため、段ボールを切断する際に、前記段ボールが吸い込まれるような力を受けるため、断面模様が切り初めと切り終わりで同じになり、断面模様を綺麗に作製する。
【００１３】
たとえば、前記段ボール切断装置で切断されて、作製された段ボール組立体は、少なくとも一つのライナーと中芯からなる段ボールの断面が見える状態で、かつ、任意の角度で切断されたストリップ片を組み合わせることにより、前記断面を異なる模様となるように所望の形状に組み立てられる。前記段ボールは、中芯の長さ方向に対して直角に切断した場合、前記中芯の波の幅が狭くなる。また、前記段ボールは、中芯の長さ方向に対して角度を換えて切断した場合、前記角度によって中芯の波の幅を変えるとともに、中芯の内部が見えるようにすることができる。前記組立体は、任意の角度で切断されたストリップ片の少なくとも一つによって、その断面形状が見えるように組み立てられ、断面の美観とともに、組み立て形状を引き立たせることができる。前記段ボールは、任意の間隔で波が形成され、その一方または両方にライナが設けられている。
【００１４】
前記段ボール組立体は、積層された段ボールを所定の角度で切断したストリップ片で組み立てられる。すなわち、前記段ボールは、複数のライナーと複数の中芯からなる積層段ボールを任意の角度で切断したストリップ片が作製される。そして、前記ストリップ片は、所望の形状に組み立てられ、その断面を模様としている。前記積層された段ボールは、ライナが３以上で中芯が２以上のもので、同じまたは異なる任意の間隔の波が形成されている。
【実施例１】
【００１５】
図１は本発明の実施例で、段ボールを切断してストリップ片とするための切断装置を説明するための図である。図１において、架台１１は、上部に段ボールを載置する段ボール載置台１２が移動できるように設けられている。前記段ボール載置台１２は、移動方向に後述する回転帯状カッター１６が通過するスリット１２１が設けられている。また、前記架台１１は、図示されていない装置により、傾斜角度を９０度より小さい角度に変えることができる支柱１３が取り付けられている。前記支柱１３は、前記傾斜角度が判るように傾斜角度指示板１８が必要に応じて、設けられる。
【００１６】
前記支柱１３は、上部に回転軸１４を介して回転するプーリ１５が回転自在に設けられている。前記回転帯状カッター１６は、前記プーリ１５に掛けられており、前記架台１１の下部に設けられた駆動装置（図示されていない）によって回転し、段ボール載置台１２上の段ボール（図示されていない）を、たとえば、ストリップ片に切断する。前記回転帯状カッター１６を駆動する駆動装置は、カッターカバー１７により隠れている。前記段ボールの面に対する回転帯状カッター１６の角度αは、好ましくは、４０度から６５度であった。
【００１７】
図２は本発明の段ボール切断装置で段ボールを切断した場合の断面を説明するための図である。図３（イ）から（ハ）は本発明の実施例に使用する複複両面段ボールをストリップ状に切断した際の断面を説明するための図である。図２おいて、段ボール２１は、線２１１で切断した場合、中芯２２と直角に切断されるため、中芯の間隔が一番狭い切断面となる。たとえば、線２１１に対する角度２１５αにより切断した段ボールは、図３（イ）の符号２１５で示す断面を有する。同じく、角度２１４αにより切断した段ボールは、図３（ロ）の符号２１４で示す断面を有する。同じく、角度２１３αにより切断した段ボールは、図３（ハ）の符号２１３で示す断面を有する。なお、図３（イ）から（ハ）の断面は、作図によるものであるため、角度と模様が完全に一致していない。
【００１８】
段ボールからなるストリップ片は、図２に示すように、角度２１２α、２１３α、２１４α、２１５α、２１６α、２１７αで切断することにより、２１２、２１３、２１４、２１５、２１６、２１７の断面を有するものができる。したがって、前記ストリップ片は、任意の模様を作るために所望の角度で切断し、これらを組み合わせることにより、所望の形および模様のものを作製することができる。
【００１９】
以上、本発明の実施例を段ボールについて詳述したが、本発明は、前記実施例に限定されるものではない。そして、本発明は、特許請求の範囲に記載された事項を逸脱することがなければ、木材またはその他の材料等に適用することが可能である。たとえば、本発明は、発明の主旨に沿ったものであれば、周知および公知の段ボールあるいは木材等を任意の角度で切断することができる。
【図面の簡単な説明】
【００２０】
【図１】本発明の実施例で、段ボールを切断してストリップ片とするための切断装置を説明するための図である。（実施例１）
【図２】本発明の段ボール切断装置で段ボールを切断した場合の断面を説明するための図である。
【図３】（イ）から（ハ）は本発明の実施例に使用する複複両面段ボールをストリップ状に切断した際の断面を説明するための図である。
【図４】（イ）から（ハ）は従来からある段ボールを説明するための図である。
【符号の説明】
【００２１】
１１・・・架台
１２・・・段ボール載置台
１２１・・・スリット
１３・・・支柱
１４・・・回転軸
１５・・・プーリ
１６・・・回転帯状カッター
１７・・・カッターカバー
１８・・・傾斜角度指示板
【図１】
2008173731.tif 000003
【図２】
2008173731.tif 000004
【図３】
2008173731.tif 000005
【図４】
2008173731.tif 000006